(57)【要約】  洗濯機を使用した商品の高速推薦方法および洗濯機において、前記方法は、Ｓ１：洗濯機がトリガー信号を受信する（１０１）；Ｓ２：少なくともトリガー信号の識別子を含む商品推薦コマンドをサーバに送信する（１０２）；Ｓ３：サーバは商品推薦コマンドを受信すると、商品推薦コマンドに対応するキーワードを照会し、さらにビッグデータを利用してキーワードに関係する商品を自動的に推薦し、推薦した商品を洗濯機とバインディングしたインテリジェント端末に送信する（１０３）；Ｓ４：インテリジェント端末は推薦された商品を表示インタフェースに表示し、表示する情報は、少なくとも商品の識別子と商品の識別子に対応するＵＲＬアドレスとを含む（１０４）；を含む。このうち、洗濯機がトリガー信号を受信したとき、サーバはビッグデータを利用して最も適した商品を推薦する。このようにユーザのオンラインショッピングの時間を節約し、ユーザの購入効率を高め、ユーザの操作を簡略化し、商品の迅速な購入を実現する。【選択図】図１
2019504425.tif 000002
【特許請求の範囲】
【請求項１】
洗濯機を使用した商品の高速推薦方法であって、
Ｓ１１：洗濯機がトリガー信号を受信する；
Ｓ１２：少なくともトリガー信号の識別子を含む商品推薦コマンドをサーバに送信する；
Ｓ１３：サーバは商品推薦コマンドを受信すると、商品推薦コマンドに対応するキーワードを照会し、さらにビッグデータを利用してキーワードに関係する商品を自動的に推薦し、推薦した商品を洗濯機とバインディングしたインテリジェント端末に送信する；
Ｓ１４：インテリジェント端末は推薦された商品を表示インタフェースに表示し、表示する情報は、少なくとも商品の識別子と商品の識別子に対応するＵＲＬアドレスとを含む；を含むことを特徴とする方法。
【請求項２】
前記サーバがビッグデータを利用して、キーワードに関係する商品を自動的に推薦する工程が、
Ａ１１：サーバはキーワードに基づいて、少なくとも１つのオンラインモールにおける該キーワードに関係する全ての商品を検索する；
Ａ１２：サーバは、ユーザの購入履歴、ユーザの商品閲覧履歴、洗濯機の位置情報、現在の季節、現在の天気の少なくとも１つを含む付加情報を自発的に取得する；
Ａ１３：サーバはビッグデータを利用して、検索した商品から付加情報に関係する商品を推薦する；を含むことを特徴とする、請求項１に記載の洗濯機を使用した商品の高速推薦方法。
【請求項３】
工程Ｓ１４の前に、
インテリジェント端末の表示インタフェースに、推薦された商品を端末の表示インタフェースに表示するかどうかを提示する指示メッセージがポップアップされ、表示する場合、工程Ｓ１４を実行することをさらに含むことを特徴とする、請求項１に記載の洗濯機を使用した商品の高速推薦方法。
【請求項４】
前記工程Ｓ１４において、インテリジェント端末は、表示インタフェースに少なくとも１つのソート基準オプションも表示し、該ソート基準に応じて推薦された商品をソートし；
前記ソート基準は、価格によるソート、評価によるソート、お気に入り登録によるソート、オンラインモールのアクセス数によるソートの少なくとも１つを含むことを特徴とする、請求項３に記載の洗濯機を使用した商品の高速推薦方法。
【請求項５】
前記商品推薦コマンドが、洗濯機番号および／またはユーザＩＤを含む識別情報をさらに含むことを特徴とする、請求項１に記載の洗濯機を使用した商品の高速推薦方法。
【請求項６】
工程Ｓ１１の前に、商品推薦コマンドおよびキーワードの対応関係を設定することをさらに含み、設定方法は
Ｂ１１：インテリジェント端末で洗濯機とバインディングする；
Ｂ１２：インテリジェント端末は識別情報およびトリガー信号の識別子を取得して、商品推薦コマンドに保存する；
Ｂ１３：インテリジェント端末は、商品推薦コマンドに対応するキーワードが設定されると、その対応関係をサーバに保存する；を含むことを特徴とする、請求項５に記載の洗濯機を使用した商品の高速推薦方法。
【請求項７】
洗濯機に推薦装置が設置され、該推薦装置が作動するとき、洗濯機にトリガー信号を送信することができることを特徴とする、請求項１〜６のいずれか１項に記載の洗濯機を使用した商品の高速推薦方法。
【請求項８】
前記推薦装置はタッチパネルであり、所定の軌跡に応じてタッチパネルに触れたとき、所定の軌跡に対応するトリガー信号が洗濯機に送信され、工程Ｓ１１を実行する；または
前記推薦装置は物理キーであり、所定のキー方式に応じて物理キーを押したとき、所定のキー方式に対応するトリガー信号が洗濯機に送信され、工程Ｓ１１を実行する；または
前記推薦装置は洗濯機にすでにある、少なくとも２つのキーからなる複合キーであり、複合キーを押したとき、該複合キーに対応するトリガー信号が洗濯機に送信され、工程Ｓ１１を実行することを特徴とする、請求項７に記載の洗濯機を使用した商品の高速推薦方法。
【請求項９】
前記洗濯機に、洗濯機を作動させてサーバに商品推薦コマンドを送信する推薦装置が設置され、サーバは商品推薦コマンドに基づいて、洗濯機とバインディングしたインテリジェント端末に推薦する商品を送信し、インテリジェント端末は推薦された商品を表示インタフェースに表示することを特徴とする、請求項１〜８のいずれか１項に記載の方法を採用した洗濯機。
【請求項１０】
前記推薦装置は洗濯機に設置されたタッチパネルであり、タッチパネルの作動方式は、所定の軌跡に応じて該タッチパネルに触れることを含む；または
前記推薦装置は洗濯機に設置された物理キーであり、物理キーの作動方式は、１度押す、２度続けて押す、３度続けて押す、１度長押しする、１度短押ししてから１度長押しする、２度短押ししてから１度長押しする、のいずれか１つを少なくとも含む；または
前記推薦装置は洗濯機にすでにある、少なくとも２つのキーからなる複合キーであり、複合キーの作動方式は、複合キーを構成する全てのキーを同時に押すことを含むことを特徴とする、請求項９に記載の洗濯機。
【請求項１１】
洗濯機を使用した商品の高速推薦方法であって、
Ｓ２１：洗濯機の商品識別装置を使用して商品を識別し、さらに商品情報を取得する；
Ｓ２２：商品情報を含む商品推薦コマンドをサーバに送信する；
Ｓ２３：サーバは商品推薦コマンドを受信すると、ビッグデータを利用して商品情報に関係する商品を自動的に推薦し、さらに推薦した商品を洗濯機とバインディングしたインテリジェント端末に送信する；
Ｓ２４：インテリジェント端末は推薦された商品を表示インタフェースに表示し、表示する情報は、少なくとも商品の識別子と商品の識別子に対応するＵＲＬアドレスとを含む；を含むことを特徴とする方法。
【請求項１２】
前記サーバがビッグデータを利用して、商品情報に関係する商品を自動的に推薦する工程は、
Ａ２１：サーバは商品情報に基づいて、少なくとも１つのオンラインモールにおける該商品情報に関係する全ての商品を検索する；
Ａ２２：サーバは、ユーザの購入履歴、ユーザの商品閲覧履歴、洗濯機の位置情報、現在の季節、現在の天気の少なくとも１つを含む付加情報を自発的に取得する；
Ａ２３：サーバはビッグデータを利用して、検索した商品から付加情報に関係する商品を推薦する；を含むことを特徴とする、請求項１１に記載の洗濯機を使用した商品の高速推薦方法。
【請求項１３】
工程Ｓ２４の前に、
インテリジェント端末の表示インタフェースに、推薦された商品を端末の表示インタフェースに表示するかどうかを提示する指示メッセージがポップアップされ、表示する場合、工程Ｓ２４を実行することをさらに含むことを特徴とする、請求項１１に記載の洗濯機を使用した商品の高速推薦方法。
【請求項１４】
前記工程Ｓ２４において、インテリジェント端末は、表示インタフェースに少なくとも１つのソート基準オプションも表示し、該ソート基準に応じて推薦された商品をソートし；
前記ソート基準は、価格によるソート、評価によるソート、お気に入り登録によるソート、オンラインモールのアクセス数によるソートの少なくとも１つを含むことを特徴とする、請求項１１に記載の洗濯機を使用した商品の高速推薦方法。
【請求項１５】
インテリジェント端末の表示インタフェースに、商品の識別子に対応する注文オプションも設けられ、これはサーバを作動させ、該商品の識別子に対応する商品について、自動的に商品の注文書が発行されることを特徴とする、請求項１１に記載の洗濯機を使用した商品の高速推薦方法。
【請求項１６】
工程Ｓ２４の後、ユーザが注文オプションをクリックしたことを検出したとき、サーバに注文コマンドが送信され、サーバは自動的に商品の注文書を発行することをさらに含むことを特徴とする、請求項１５に記載の洗濯機を使用した商品の高速推薦方法。
【請求項１７】
サーバが自動的に商品の注文書を発行する工程は、
Ｂ２１：商品の識別子に対応するＵＲＬアドレスに基づいて、商品属性を取得する；
Ｂ２２：所定の荷受人情報および支払方式を検索して、自動的に商品の注文書を発行する；を含むことを特徴とする、請求項１６に記載の洗濯機を使用した商品の高速推薦方法。
【請求項１８】
ユーザが注文オプションをクリックしたことを検出した後、インテリジェント端末の表示インタフェースに注文を確定するかどうかのメッセージがポップアップされ、確定した場合、サーバに注文コマンドが送信され、サーバは自動的に商品の注文書を発行することをさらに含むことを特徴とする、請求項１７に記載の洗濯機を使用した商品の高速推薦方法。
【請求項１９】
前記商品識別装置はスキャナであり、工程Ｓ２１において、洗濯機のスキャナを使用して商品の２次元コードまたはバーコードをスキャンし、商品情報を取得する；
好ましくは、前記商品識別装置はＲＦＩＤリーダであり、工程Ｓ２１において、ＲＦＩＤリーダを使用して商品のＲＦＩＤチップを読み取り、商品情報を取得することを特徴とする、請求項１１〜１８のいずれか１項に記載の洗濯機を使用した商品の高速推薦方法。
【請求項２０】
請求項１１〜１９のいずれか１項に記載の方法を採用した洗濯機であって、洗濯機に
商品を識別し、商品情報を取得して制御モジュールに送信する商品識別装置と；
商品情報を受信して商品推薦コマンドに記憶させ、通信モジュールを介して商品推薦コマンドをサーバに送信する制御モジュールであって、サーバはビッグデータを利用して商品情報と関係する商品を自動的に推薦し、さらに推薦した商品を洗濯機とバインディングしたインテリジェント端末に送信して、端末の表示インタフェースに表示する制御モジュールと；
制御モジュールおよびサーバを接続し、データ交換を実現する通信モジュールと、が設置されることを特徴とする洗濯機。
【発明の詳細な説明】
【技術分野】
【０００１】
本発明は洗濯機の分野に関し、特に洗濯機を使用した商品の高速推薦方法および洗濯機に関する。
【背景技術】
【０００２】
洗濯機のモデルチェンジに伴い、洗濯機の機能も次第に多くなっている。その機能は、洗剤、柔軟剤を自動的に添加することができることを含み、さらには洗剤、柔軟剤をもうすぐ使い終わるとき、速やかに相応する洗浄製品を購入するようにユーザに促すメッセージを発することができることも含む。
【０００３】
しかしながら現在、洗浄製品を購入するとき、ユーザは自分で覚えてスーパーマーケットに行き、洗浄製品を直接購入するか、またはスマートフォンもしくはコンピュータのオンラインモールで相応する洗浄製品を検索し、ある商品を選択してから、注文、支払いを行い、購入を完了する必要がたびたびある。しかし、生活において次のような状況がよく生じる。ユーザが衣類を洗濯するとき、洗浄製品を使い終わったことに気付くと、そのとき購入する必要があることを覚えていても、一仕事終えるとすぐに忘れてしまい、再度洗浄製品を使用する必要があるときに、洗浄製品をすでに使い終わっていることに気付くため、速やかに、迅速に購入することができない。他に、洗浄製品の種類は多様化し、適した洗浄製品を選択するために、ユーザは大量の時間を消費する必要があり、専門の洗浄知識を必要とするときもある。普通のユーザにとって、オンラインショッピングの効率は極めて低く、特に生活のリズムが速い都会のホワイトカラーにとって、極めて不便である。したがって、洗濯過程または洗浄製品を使い終わったことに気付いたとき、ユーザに最も適した商品を推薦する洗濯機を急ぎ必要とする。
【０００４】
このことを考慮して、特に本発明を示す。
【発明の概要】
【発明が解決しようとする課題】
【０００５】
本発明が解決しようとする技術的問題は、既存技術の不足を克服することにあり、洗濯機を使用した商品の高速推薦方法を提供する。トリガー信号が洗濯機に送信されると、サーバがビッグデータを利用して最も適した商品を推薦する。このようにユーザのオンラインショッピングの時間を節約し、ユーザの購入効率を高め、ユーザの操作を簡略化し、商品の迅速な購入を実現する。
【０００６】
本発明のもう１つの目的は、上記方法を採用した洗濯機を提供することである。
【課題を解決するための手段】
【０００７】
本発明がその技術的問題を解決するために採用した技術案は以下の通りである。
洗濯機を使用した商品の高速推薦方法を提供する。前記方法は以下の工程を含む。
Ｓ１１：洗濯機がトリガー信号を受信する。
Ｓ１２：少なくともトリガー信号の識別子を含む商品推薦コマンドをサーバに送信する。
Ｓ１３：サーバは商品推薦コマンドを受信すると、商品推薦コマンドに対応するキーワードを照会し、さらにビッグデータを利用してキーワードに関係する商品を自動的に推薦し、推薦した商品を洗濯機とバインディングしたインテリジェント端末に送信する。
Ｓ１４：インテリジェント端末は推薦された商品を表示インタフェースに表示し、表示する情報は、少なくとも商品の識別子と商品の識別子に対応するＵＲＬアドレスとを含む。
【０００８】
さらに、前記サーバがビッグデータを利用して、キーワードに関係する商品を自動的に推薦する工程は、以下の工程を含む。
Ａ１１：サーバはキーワードに基づいて、少なくとも１つのオンラインモールにおける該キーワードに関係する全ての商品を検索する。
Ａ１２：サーバは、ユーザの購入履歴、ユーザの商品閲覧履歴、洗濯機の位置情報、現在の季節、現在の天気の少なくとも１つを含む付加情報を自発的に取得する。
Ａ１３：サーバはビッグデータを利用して、検索した商品から付加情報に関係する商品を推薦する。
【０００９】
さらに、工程Ｓ１４の前に、
インテリジェント端末の表示インタフェースに、推薦された商品を端末の表示インタフェースに表示するかどうかを提示する指示メッセージがポップアップされ、表示する場合、工程Ｓ１４を実行することをさらに含む。
【００１０】
さらに、前記工程Ｓ１４において、インテリジェント端末は、表示インタフェースに少なくとも１つのソート基準オプションも表示し、該ソート基準に応じて推薦された商品をソートする。
前記ソート基準は、価格によるソート、評価によるソート、お気に入り登録によるソート、オンラインモールのアクセス数によるソートの少なくとも１つを含む。
【００１１】
さらに、前記商品推薦コマンドは、洗濯機番号および／またはユーザＩＤを含む識別情報をさらに含む。
【００１２】
さらに、工程Ｓ１１の前に、商品推薦コマンドおよびキーワードの対応関係を設定することをさらに含む。設定方法は以下の工程を含む。
Ｂ１１：インテリジェント端末で洗濯機とバインディングする。
Ｂ１２：インテリジェント端末は識別情報およびトリガー信号の識別子を取得して、商品推薦コマンドに保存する。
Ｂ１３：インテリジェント端末は、商品推薦コマンドに対応するキーワードが設定されると、その対応関係をサーバに保存する。
【００１３】
さらに、洗濯機に推薦装置が設置され、該推薦装置が作動するとき、洗濯機にトリガー信号を送信することができる。
【００１４】
さらに、前記推薦装置はタッチパネルであり、所定の軌跡に応じてタッチパネルに触れたとき、所定の軌跡に対応するトリガー信号が洗濯機に送信され、工程Ｓ１１を実行する。または
前記推薦装置は物理キーであり、所定のキー方式に応じて物理キーを押したとき、所定のキー方式に対応するトリガー信号が洗濯機に送信され、工程Ｓ１１を実行する。または
前記推薦装置は洗濯機にすでにある、少なくとも２つのキーからなる複合キーであり、複合キーを押したとき、該複合キーに対応するトリガー信号が洗濯機に送信され、工程Ｓ１１を実行する。
【００１５】
本発明は、上記方法を採用した洗濯機をさらに提供する。前記洗濯機に、洗濯機を作動させてサーバに商品推薦コマンドを送信する推薦装置が設置され、サーバは商品推薦コマンドに基づいて、洗濯機とバインディングしたインテリジェント端末に推薦する商品を送信し、インテリジェント端末は推薦された商品を表示インタフェースに表示する。
【００１６】
さらに、前記推薦装置は洗濯機に設置されたタッチパネルであり、タッチパネルの作動方式は、所定の軌跡に応じて該タッチパネルに触れることを含む。または
前記推薦装置は洗濯機に設置された物理キーであり、物理キーの作動方式は、１度押す、２度続けて押す、３度続けて押す、１度長押しする、１度短押ししてから１度長押しする、２度短押ししてから１度長押しする、のいずれか１つを少なくとも含む。または
前記推薦装置は洗濯機にすでにある、少なくとも２つのキーからなる複合キーであり、複合キーの作動方式は、複合キーを構成する全てのキーを同時に押すことを含む。
【００１７】
本発明は、洗濯機を使用した商品の高速推薦方法をさらに提供する。前記方法は以下の工程を含む。
Ｓ２１：洗濯機の商品識別装置を使用して商品を識別し、さらに商品情報を取得する。
Ｓ２２：商品情報を含む商品推薦コマンドをサーバに送信する。
Ｓ２３：サーバは商品推薦コマンドを受信すると、ビッグデータを利用して商品情報に関係する商品を自動的に推薦し、推薦した商品を洗濯機とバインディングしたインテリジェント端末に送信する。
Ｓ２４：インテリジェント端末は推薦された商品を表示インタフェースに表示し、表示する情報は、少なくとも商品の識別子と商品の識別子に対応するＵＲＬアドレスとを含む。
【００１８】
さらに、前記サーバがビッグデータを利用して、商品情報に関係する商品を自動的に推薦する工程は、以下の工程を含む。
Ａ２１：サーバは商品情報に基づいて、少なくとも１つのオンラインモールにおける該商品情報に関係する全ての商品を検索する。
Ａ２２：サーバは、ユーザの購入履歴、ユーザの商品閲覧履歴、洗濯機の位置情報、現在の季節、現在の天気の少なくとも１つを含む付加情報を自発的に取得する。
Ａ２３：サーバはビッグデータを利用して、検索した商品から付加情報に関係する商品を推薦する。
【００１９】
さらに、工程Ｓ２４の前に、
インテリジェント端末の表示インタフェースに、推薦された商品を端末の表示インタフェースに表示するかどうかを提示する指示メッセージがポップアップされ、表示する場合、工程Ｓ２４を実行することをさらに含む。
【００２０】
さらに、前記工程Ｓ２４において、インテリジェント端末は、表示インタフェースに少なくとも１つのソート基準オプションも表示し、該ソート基準に応じて推薦された商品をソートする。
前記ソート基準は、価格によるソート、評価によるソート、お気に入り登録によるソート、オンラインモールのアクセス数によるソートの少なくとも１つを含む。
【００２１】
さらに、インテリジェント端末の表示インタフェースに、商品の識別子に対応する注文オプションも設けられる。これはサーバを作動させ、該商品の識別子に対応する商品について、自動的に商品の注文書が発行される。
【００２２】
さらに、工程Ｓ２４の後、ユーザが注文オプションをクリックしたことを検出したとき、サーバに注文コマンドが送信され、サーバは自動的に商品の注文書を発行することをさらに含む。
【００２３】
さらに、サーバが自動的に商品の注文書を発行する工程は、以下の工程を含む。
Ｂ２１：商品の識別子に対応するＵＲＬアドレスに基づいて、商品属性を取得する。
Ｂ２２：所定の荷受人情報および支払方式を検索して、自動的に商品の注文書を発行する。
【００２４】
さらに、ユーザが注文オプションをクリックしたことを検出した後、インテリジェント端末の表示インタフェースに注文を確定するかどうかのメッセージがポップアップされ、確定した場合、サーバに注文コマンドが送信され、サーバは自動的に商品の注文書を発行することをさらに含む。
【００２５】
さらに、前記商品識別装置はスキャナであり、工程Ｓ２１において、洗濯機のスキャナを使用して商品の２次元コードまたはバーコードをスキャンし、商品情報を取得する。
好ましくは、前記商品識別装置はＲＦＩＤリーダであり、工程Ｓ２１において、ＲＦＩＤリーダを使用して商品のＲＦＩＤチップを読み取り、商品情報を取得する。
【００２６】
本発明は、上記方法を採用した洗濯機をさらに提供する。洗濯機に
商品を識別し、商品情報を取得して制御モジュールに送信する商品識別装置と、
商品情報を受信して商品推薦コマンド集に記憶させ、通信モジュールを介して商品推薦コマンドをサーバに送信する制御モジュールであって、サーバはビッグデータを使用して商品情報に関係する商品を自動的に推薦し、さらに推薦した商品を洗濯機とバインディングしたインテリジェント端末に送信して、端末の表示インタフェースに表示する制御モジュールと、
制御モジュールおよびサーバを接続し、データ交換を実現する通信モジュールと、が設置される。
【発明の効果】
【００２７】
本発明を実施するための形態で提供する技術案の有益な効果は、以下の通りである。
本発明は、トリガー信号が洗濯機に送信されると、サーバがビッグデータを利用して最も適した商品を推薦する。このようにユーザのオンラインショッピングの時間を節約し、ユーザの購入効率を高め、ユーザの操作を簡略化し、商品の迅速な購入を実現する。
【００２８】
本発明を実施するための形態における技術案をより明確に説明するため、以下、発明を実施するための形態で使用する必要がある図を簡単に説明する。以下の説明における図は本発明のいくつかの実施例に過ぎず、当業者が創造的労働を行わない前提で、これらの図に基づいてその他の図を得ることもできることは明らかである。
【図面の簡単な説明】
【００２９】
【図１】図１は、本発明が提供する洗濯機を使用した商品の高速推薦方法のフローチャートである。
【図２】図２は、本発明が提供するもう１つの洗濯機を使用した商品の高速推薦方法のフローチャートである。
【図３】図３は、本発明が提供するもう１つの洗濯機を使用した商品の高速推薦方法のフローチャートである。
【図４】図４は、本発明が提供する設定方法のフローチャートである。
【図５】図５は、本発明が提供する洗濯機の構造概要図である。
【図６】図６は、本発明が提供する洗濯機の操作パネルの構造概要図である。
【図７】図７は、本発明が提供するもう１つの洗濯機の操作パネルの構造概要図である。
【図８】図８は、本発明が提供するインテリジェント端末の表示インタフェースの概要図である。
【図９】図９は、本発明が提供するもう１つの洗濯機を使用した商品の高速推薦方法のフローチャートである。
【図１０】図１０は、本発明が提供するもう１つの洗濯機を使用した商品の高速推薦方法のフローチャートである。
【図１１】図１１は、本発明が提供するもう１つの洗濯機を使用した商品の高速推薦方法のフローチャートである。
【図１２】図１２は、本発明が提供するもう１つの洗濯機の構造概要図である。
【発明を実施するための形態】
【００３０】
本発明において、洗濯機はＩｏＴ洗濯機であり、洗濯機はサーバと通信接続され、サーバはインテリジェント端末と通信接続される。通信技術はＷＩＦＩ、ＧＰＲＳ、ＺｅｅｇｂｅおよびＲＳ−４８５技術のいずれか１つでよく、洗濯機はＩｏＴ機能を起動すると、サーバとデータ交換を行うことができる。インテリジェント端末は、スマートフォン／ＰＡＤ／ＰＣでよい。このうち、サーバは、ユーザアカウントの登録および管理、洗濯機およびユーザアカウントのバインディングおよび管理を含む、洗濯機管理プラットフォームサービスを提供する。サーバはさらに洗濯機に制御コマンドを送信して、洗濯機が報告する情報を受信し、さらに洗濯機の動作状態をインテリジェント端末で同期することができる。インテリジェント端末に洗濯機を制御することができるアプリケーションをインストールすると、クライアント端末のアプリケーションでアカウントを登録し、洗濯機とバインディングすることができる。
【００３１】
以下、図および実施例を組み合わせて、実施方式をさらに説明する。
【実施例】
【００３２】
実施例１
本実施例は、洗濯機を使用した商品の高速推薦方法を提供する。図１に示すように、該方法は以下の工程を含む。
工程１０１：洗濯機がトリガー信号を受信する。
工程１０２：少なくともトリガー信号の識別子を含む商品推薦コマンドをサーバに送信する。
工程１０３：サーバは商品推薦コマンドを受信すると、商品推薦コマンドに対応するキーワードを照会し、さらにビッグデータを利用してキーワードに関係する商品を自動的に推薦し、推薦した商品を洗濯機とバインディングしたインテリジェント端末に送信する。
工程１０４：インテリジェント端末は推薦された商品を表示インタフェースに表示し、表示する情報は、少なくとも商品の識別子と商品の識別子に対応するＵＲＬアドレスとを含む。
【００３３】
本実施例では、トリガー信号が洗濯機に送信されると、サーバがビッグデータを利用して最も適した商品を推薦し、洗濯機とバインディングしたインテリジェント端末に表示する。ユーザはただ１つの工程の動作で、ユーザに最も適した推薦商品を得ることができる。このようにユーザの購入時間を節約し、ユーザの購入効率を高め、ユーザの購入操作を簡略化した。
【００３４】
実施例２
本実施例は、洗濯機を使用した商品の高速推薦方法を提供する。図２に示すように、該方法は以下の工程を含む。
工程２０１：洗濯機がトリガー信号を受信する。
【００３５】
このうち、洗濯機に推薦装置が設けられ、該推薦装置が作動するとき、洗濯機の制御モジュールにトリガー信号を送信することができる。
【００３６】
好ましくは、推薦装置は洗濯機に設置されたタッチパネルでよい。ユーザが所定の軌跡に応じてタッチパネルに触れたとき、洗濯機の制御モジュールに所定の軌跡に対応するトリガー信号が送信される。
【００３７】
このうち、タッチパネルは透明ガラスの表面に１層のアンチモン酸化スズ薄膜および保護膜がメッキされ、液晶モニタとの間に電子信号の干渉を防ぐ処理を行う必要がある。タッチパネルはタッチ制御技術を直接体現しており、接触信号を検出して、分析、識別する。したがって、ユーザがある軌跡に応じて該タッチパネルに触れたとき、タッチパネルはユーザが触れた軌跡を相応して検出することができる。
【００３８】
このうち、所定の軌跡は任意の図案でよく、各図案の所定の軌跡は１つの作動方式である。異なる図案の所定の軌跡は異なる作動方式に対応し、各作動方式は１つのトリガー信号に対応する。好ましくは、該所定の軌跡は開発者が洗濯機にプリセットすることができる。例えば、洗濯機にプリセットされた軌跡がアルファベットのＣであると、ユーザがアルファベットのＣに応じてタッチパネルに触れたとき、洗濯機の制御モジュールにアルファベットのＣに対応するトリガー信号が送信される。さらに好ましくは、該所定の軌跡は、ユーザが自由に設定して洗濯機に記憶させることができる。
【００３９】
さらに好ましくは、推薦装置は洗濯機に設置された物理キーである。所定のキー方式に応じて物理キーを押すと、所定のキー方式に対応するトリガー信号が洗濯機に送信される。
【００４０】
このうち、物理キーのキー方式は、開発者が洗濯機にプリセットすることができる。各キー方式は１つの作動方式であり、各作動方式は１つのトリガー信号に対応する。好ましくは、キー方式は、１度押す、２度続けて押す、３度続けて押す、１度長押しする、１度短押ししてから１度長押しする、２度短押ししてから１度長押しする、のいずれか１つを少なくとも含む。
【００４１】
例えば、プリセットされた作動方式は、１度押すおよび３度続けて押す、を含み、それぞれ第１トリガー信号および第２トリガー信号に対応する。ユーザが該物理キーを３度続けて押したとき、該物理キーは洗濯機の制御モジュールに第２トリガー信号を送信し、洗濯機の制御モジュールは第２トリガー信号を受信する。
【００４２】
好ましくは、該物理キーは、電源キー、スタート／一時停止キー、洗濯プログラムキーおよび洗濯パラメータキー以外の追加したキーである。このうち洗濯パラメータキーは、例えばすすぎ、脱水、水位、時間、温度、乾燥および回転速度などの洗濯プログラム中の各パラメータを制御する。
【００４３】
例えば、図６に示すように、洗濯機に電源キー、スタート／一時停止キー、洗濯プログラムキー、すすぎキー、脱水キー、水位キーおよびワンクリック推薦キーが設けられる。該ワンクリック推薦キーは、洗濯機を作動させてサーバに商品推薦コマンドを送信する推薦装置であり、サーバは商品推薦コマンドに基づいてユーザに最も適した商品を推薦し、さらに推薦した商品を洗濯機とバインディングしたインテリジェント端末に表示する。
【００４４】
好ましくは、該物理キーは洗濯パラメータキーのいずれか１つである。洗濯プログラムを選択した後、該物理キーを作動させた場合、対応する洗濯パラメータの機能を実行する。洗濯プログラムを選択していないとき、該物理キーを作動させた場合、洗濯機を作動させてサーバに商品推薦コマンドを送信する機能を実行する。
【００４５】
例えば、図７に示すように、洗濯機に電源キー、スタート／一時停止キー、洗濯プログラムキー、すすぎキー、脱水キーおよび水位キーが設けられ、このうち水位キーは、洗濯機を作動させてサーバに商品推薦コマンドを送信する推薦装置として用いることもできる。洗濯機が始動した後、洗濯プログラムを選択していないとき、該水位キーを押した場合、該水位キーは商品を推薦する機能を実行する。すなわち該水位キーに対応するトリガー信号が洗濯機に送信され、洗濯機を作動させてサーバに商品推薦コマンドを送信する。洗濯プログラムを選択した後、該水位キーを押した場合、該水位キーは洗濯機の水位を設定する機能を実行する。
【００４６】
好ましくは、推薦装置は、洗濯機における少なくとも２つの任意のキーからなる複合キーである。複合キーを押したとき、該複合キーに対応するトリガー信号が洗濯機に送信される。
【００４７】
複合キーの作動方式は、複合キーを構成する全てのキーを同時に押すことを含む。
【００４８】
例えば、図７に示す洗濯機の推薦装置は、すすぎキー、脱水キーおよび水位キーからなる複合キーである。すすぎキー、脱水キーおよび水位キーを同時に押したとき、該複合キーに対応するトリガー信号が洗濯機に送信される。
【００４９】
推薦装置が物理キー、タッチパネルまたは複合キーであるかに関わらず、さらにどの作動方式であるかに関わらず、ユーザにとって、ただ１つの工程で完了することができる操作であり、該作動装置は洗濯機にトリガー信号を送信することができる。したがって、ユーザの操作は極めて簡便で、時間を消費しない。
【００５０】
工程２０２：少なくともトリガー信号の識別子を含む商品推薦コマンドをサーバに送信する。
【００５１】
具体的に、洗濯機はトリガー信号を受信したとき、該トリガー信号の識別子を相応して取得して、商品推薦コマンドに記憶させ、該商品推薦コマンドをサーバに送信する。
【００５２】
このうち、トリガー信号およびトリガー信号の識別子の対応関係は、洗濯機に予め存在する。洗濯機がトリガー信号を受信すると、トリガー信号の識別子を相応して取得することができる。
【００５３】
好ましくは、商品推薦コマンドに、異なる洗濯機または異なるユーザが送信した商品推薦コマンドを区別するための識別情報を含むこともでき、これにより商品推薦コマンドが唯一であることを確定する。
【００５４】
このうち、識別情報は洗濯機番号でも、ユーザＩＤでもよい。具体的に、出荷時、各洗濯機はいずれも異なる洗濯機を識別するための唯一の番号を１つ有し、該番号を洗濯機の制御モジュールにプリセットすることができる。洗濯機がトリガー信号を受信すると、洗濯機の制御モジュールで該番号を取得することができる。ユーザＩＤは、ユーザがサーバにログインするアカウントでよく、該アカウントはサーバで唯一であり、異なるユーザを識別する。該ユーザアカウントを洗濯機の制御モジュールにプリセットすることができ、洗濯機がトリガー信号を受信すると、洗濯機の制御モジュールで該アカウントを取得することができる。
【００５５】
工程２０３：サーバは商品推薦コマンドを受信すると、商品推薦コマンドに対応するキーワードを照会し、キーワードに基づいて、少なくとも１つのオンラインモールにおける該キーワードに関係する全ての商品を検索する。
【００５６】
好ましくは、該キーワードは洗浄製品と関係し、さらに好ましくは、例えば衣料用液体洗剤、柔軟剤、漂白剤、衣料用粉末洗剤、洗濯石鹸、凝集剤などの洗浄製品を分類する名称である。このうち、オンラインモールはハイアールオンラインストア、タオバオワン、Ｔｍａｌｌ、ＪＤドットコムなどである。
【００５７】
例えば、キーワードが洗剤であると、サーバはハイアールオンラインストアの各種ブランド、各種タイプの洗剤を検索する。
【００５８】
工程２０４：サーバが自発的に付加情報を取得する。
【００５９】
このうち、付加情報はユーザの購入履歴、ユーザの商品閲覧履歴、洗濯機の位置情報、現在の季節、現在の天気の少なくとも１つを含む。
【００６０】
具体的に、ユーザの購入履歴／閲覧履歴の取得は、インテリジェント端末に洗濯機を制御することができるアプリケーションをインストールすると、クライアント端末のアプリケーションでアカウントを登録し、洗濯機とバインディングすることができ、ユーザのアカウントが商品を購入／閲覧したとき、相応する購入／閲覧履歴をサーバに記憶させることができ、サーバは該ユーザアカウントの購入履歴／閲覧履歴を直接取得することができる。
例えば、インテリジェント端末に洗濯機を制御することができるアプリケーションをインストールすると、ユーザが該アプリケーションのオンラインモールで商品を購入／閲覧したとき、相応する購入／閲覧履歴をサーバに記憶させることができる。
【００６１】
好ましくは、インテリジェント端末は、該インテリジェント端末においてユーザがその他のアプリケーションで購入／閲覧した履歴にアクセスすることもでき、さらに購入／閲覧履歴をサーバで同期する。
例えば、インテリジェント端末に洗濯機を制御することができるアプリケーションをインストールすると、洗濯機を制御することができるアプリケーションは、その他のアプリケーションにアクセスする権限を取得することができる。ユーザがその他のアプリケーションで商品を購入／閲覧したとき、該購入／閲覧履歴を取得してサーバ側で同期することができる。
【００６２】
洗濯機の位置情報の取得は、サーバが洗濯機のＷＩＦＩネットワークに基づいて洗濯機の現在の位置を取得するか、またはサーバが洗濯機のＧＰＲＳに基づいて洗濯機の現在の位置を取得することができる。
現在の季節および天気の取得は、サーバが洗濯機の現在の位置に基づいて、ネットワークから該地理的位置に対応する季節および天気を直接取得することができる。
【００６３】
工程２０５：サーバはビッグデータを利用して、検索した商品から付加情報に関係する商品を推薦し、推薦した商品を洗濯機とバインディングしたインテリジェント端末に送信する。
【００６４】
具体的に、サーバは検索した商品からユーザの購入履歴／閲覧履歴に最も近い商品を推薦することができる。サーバは洗濯機の位置情報に基づいて、ネットワークから現地の水の硬度を取得することもでき、検索した商品から現地の水の硬度に最も適応する商品（例えば水の硬度に適応する洗剤、柔軟剤など）を推薦する。サーバは、検索した商品から現在の季節および天気に最も適した商品（例えば冬でも手が荒れない衣料用液体洗剤など）を推薦することもできる。
【００６５】
さらに、サーバは推薦した商品のＵＲＬアドレスを生成することができ、該ＵＲＬアドレスをインテリジェント端末に送信する。好ましくは、サーバはキーワードに関係する全ての商品と、付加情報に関係する商品とのＵＲＬアドレスを生成し、該ＵＲＬアドレスをインテリジェント端末に送信する。
【００６６】
工程２０６：インテリジェント端末の表示インタフェースに、推薦された商品を端末の表示インタフェースに表示するかどうかを提示する指示メッセージがポップアップされる。
【００６７】
表示する場合、工程２０７を実行し、そうでない場合、インテリジェント端末に時間を遅らせるかどうかのメッセージがポップアップされる。遅らせる場合、インテリジェント端末に、所定時間後、再度指示メッセージが表示され、そうでない場合、指示メッセージが取り消され、サーバが当該回で送信した推薦商品は表示されない。
【００６８】
例えば、インテリジェント端末の表示インタフェースにポップアップされる指示メッセージは、「洗濯機から洗剤の推薦情報を受信しました。開きますか」であり、さらに表示インタフェースに「開く」および「キャンセル」オプションが示される。ユーザが「開く」を選択したとき、インテリジェント端末は工程２０７を実行する。ユーザが「キャンセル」を選択したとき、インテリジェント端末の表示インタフェースに時間を遅らせるかどうかのメッセージ「１時間後に表示します。いいですか」がポップアップされ、「１時間遅らせる」および「もう表示しない」の２つの操作オプションが示される。ユーザが「１時間遅らせる」を選択した場合、１時間後、インテリジェント端末に指示メッセージ「洗濯機から洗剤の推薦情報を受信しました。開きますか」が再度表示される。ユーザが「もう表示しない」を選択した場合、端末はサーバが当該回に送信した推薦商品を表示しない。
【００６９】
工程２０７：インテリジェント端末は推薦された商品を表示インタフェースに表示し、表示する情報は、少なくとも商品の識別子と商品の識別子に対応するＵＲＬアドレスとを含む。
【００７０】
このうち、商品の識別子は商品の名称でよい。ＵＲＬアドレスはオンラインモールの商品を示す唯一の目的アドレスに用いられ、該目的アドレスを確定すると、例えばオンラインモールの名称、店舗の名称、商品の分類、名称、ブランド、規格、型番、形式、価格などの一部の商品属性を相応して確定することができる。ユーザはＵＲＬアドレスをクリックして商品購入ページに進み、商品を購入することができる。好ましくは、表示する情報は商品の識別子に対応する商品の写真も含む。
【００７１】
好ましくは、インテリジェント端末はキーワードに関係する全ての商品も表示する。具体的に、インテリジェント端末の表示ページに推薦商品オプションおよび通常商品オプションを設けることができ（図８に示す）、通常商品オプションはキーワードに関係する全ての商品を表示し、推薦商品オプションはサーバが推薦し、付加情報に関係する商品を表示する。ユーザはオプションをクリックすることにより、表示ページに表示する商品情報を切り替えることができる。
【００７２】
好ましくは、インテリジェント端末は、表示インタフェースに少なくとも１つのソート基準オプションも表示し（図８に示す）、該ソート基準に応じて推薦された商品をソートする。このうち、ソート基準は、価格によるソート、評価によるソート、お気に入り登録によるソート、オンラインモールのアクセス数によるソートの少なくとも１つを含む。オンラインモールのアクセス数によるソートは、該オンラインモールのホームページにアクセスしたクリック数を指す。
【００７３】
本実施例では、洗濯機がトリガー信号を受信したとき、サーバはビッグデータを利用してユーザに適した商品を推薦し、さらに洗濯機とバインディングしたインテリジェント端末に表示する。ユーザは、ただ１つの工程の操作で、ユーザに最も適した推薦商品を得ることができる。このようにユーザのオンラインショッピングの時間を節約し、ユーザの購入効率を高め、ユーザの操作を簡略化する。
【００７４】
実施例３
本実施例は実施例２を基にし、端末の表示インタフェースに表示された商品について、ユーザは通常の購入方式に応じて商品を購入することも、商品をワンクリック注文することもできる。
【００７５】
このうち通常の購入方式とは、ユーザが商品のＵＲＬアドレスを直接クリックして商品の購入ページに進み、商品属性（例えば形式、数量など）を選択してから、クイック購入オプションをクリックし、設定ページに進んで荷受人情報を設定し、設定後に注文を確定してから、支払ページに進み、支払方式を選択した後、支払のパスワードを入力すると、サーバが商品の注文書を発行することを指す。
【００７６】
商品をワンクリック注文するとは、推薦商品の表示ページにワンクリック注文オプションが設けられ（図８に示す）、ユーザが商品の識別子の前方にあるチェックボックスにチェックを付けて、少なくとも１つの商品を選択してから、ワンクリック注文をクリックすると、チェックした商品の全てについて、商品の注文書を直接発行することができることを指す。または
ユーザがＵＲＬアドレスをクリックして商品購入ページに進むと、商品購入ページにワンクリック注文オプションが設けられ、属性を設定する必要がある場合、ユーザは商品購入ページで先に属性（例えば形式、数量など）を設定することができ、ワンクリック注文をクリックすると、該ＵＲＬアドレスの商品について、商品の注文書を直接発行することができることを指す。
【００７７】
具体的に、工程２０７の後、図３に示すように、商品をワンクリック注文する方法は以下の工程を含む。
工程２０８：ユーザがワンクリック注文オプションをクリックしたことを検出したとき、サーバに注文コマンドが送信される。
【００７８】
好ましくは、ユーザがワンクリック注文オプションをクリックしたことを検出したとき、インテリジェント端末の表示インタフェースに、注文を確定するかどうかのメッセージがポップアップされ、さらに操作オプションの「確定」または「キャンセル」が示される。ユーザが「確定」を選択したとき、インテリジェント端末はサーバに注文コマンドを送信し、ユーザが「キャンセル」を選択すると、当該回の注文を直接取り消すことができる。
【００７９】
工程２０９：サーバは注文コマンドを受信すると、自動的に商品の注文書を発行する。
【００８０】
サーバが注文コマンドを受信した後の具体的な実行工程は以下の通りである。
工程（１）：サーバは商品の識別子に対応するＵＲＬアドレスに基づいて、商品属性を取得する。
【００８１】
このうち、ＵＲＬアドレスはオンラインモールの商品を示す唯一の目的アドレスに用いられ、該目的アドレスを確定すると、例えばオンラインモールの名称、店舗の名称、商品の分類、名称、ブランド、規格、型番、形式、価格などの一部の商品属性を相応して確定することができる。
【００８２】
このうち、オンラインモールの名称はハイアールオンラインストア、Ｔｍａｌｌなどでよい。店舗の名称はＸＸ旗艦店でよい。商品の分類は洗浄製品でよい。名称は衣料用粉末洗剤、洗剤、柔軟剤などでよい。ブランドはタイド、立白などでよい。規格はｎキログラム、ｎミリリットルなどでよい。型番／形式は高効果芳香タイプ、ラベンダーの香りなどでよい。
【００８３】
工程（２）：サーバは所定の荷受人情報および支払方式を検索して、自動的に商品の注文書を発行する。
【００８４】
このうち、荷受人情報および支払方式をサーバに予め設定する。具体的にユーザが洗濯機を購入するとき、相応する情報を書き込むと、開発者がそれをサーバに追加することができる。好ましくは、ユーザが、相応するクライアント端末のアプリケーションまたはＰＣのホームページで、自ら相応する情報を書き込んで、サーバに保存することもできる。
【００８５】
サーバは商品属性を取得した後、ユーザアカウントのログイン状態を取得する。ユーザがログインしていない場合、ユーザにログインするように促し、ユーザがすでにログインしている場合、ログインしたユーザのデフォルトの荷受人情報および支払方式を照会する。所定の支払方式に応じて自動的に商品の支払を行い、荷受人情報に基づいて商品の注文書を発行する。サーバは該商品の注文書を業者に送信し、業者に新しい商品の注文書を提示する。業者は、商品の注文書における該商品の商品属性に基づいて対応する商品を選択し、荷受人情報に基づいて宅配伝票に書き込み、宅配会社または配送会社を介して、商品を荷受人の住所まで届けることができる。
【００８６】
さらに、荷受人情報は、荷受人の氏名、荷受人の電話番号、荷受住所を少なくとも含み、好ましくは荷受住所の郵便番号をさらに含む。支払方式はオンライン支払または代金引換を含むことができ、オンライン支払について、選択可能な支払システム（例えばクレジットカード支払、デビットカード支払、アリペイ支払またはウィーチャットペイ支払）を予め設定することもできる。支払システムの優先支払順序（例えばアリペイ支払を優先的に使用し、支払が成功しなかった場合、ウィーチャットペイ支払を使用する）も含み、支払制限（例えば一括支払は２００元以下で自動的に支払うことができる、１か月の支払は５００元を超えてはならないなど）を設定することも含む。
【００８７】
好ましくは、ユーザはインテリジェント端末で洗濯機とバインディングした後、アプリケーションでユーザのアカウントにログインし、荷受人情報および支払方式を設定することができる。
【００８８】
本実施例では、洗濯機がトリガー信号を受信すると、サーバはビッグデータを利用してユーザに適した商品を推薦し、さらに洗濯機とバインディングしたインテリジェント端末に表示する。ユーザは、インテリジェント端末である商品をワンクリック注文することも、大量の商品を迅速に注文することもできる。ユーザは、ただ１つの工程内の操作で、ユーザに最も適した推薦商品を得ることができ、その後、推薦された商品からワンクリック注文し、商品の迅速な購入を実現することができる。このようにユーザのオンラインショッピングの時間を節約し、ユーザの購入効率を高め、ユーザの操作を簡略化する。
【００８９】
実施例４
本実施例において、洗濯機はサーバと通信接続され、サーバはインテリジェント端末と通信接続される。インテリジェント端末に洗濯機を制御することができるアプリケーションをインストールすると、ユーザはインテリジェント端末でアカウントを登録し、洗濯機とバインディングすることができる。
【００９０】
このうち、洗濯機に推薦装置が設置され、該推薦装置は作動させる作動方式を少なくとも１つ含み、各作動方式は１つのトリガー信号に対応することができ、異なるトリガー信号は異なるキーワードに対応する。該キーワードは開発者が洗濯機に予め設定したものでよく、ユーザは該キーワードを設定する必要はない。該キーワードはユーザが自ら設定することもでき、ユーザはインテリジェント端末で洗濯機とバインディングした後、洗濯機の異なるトリガー信号に基づいて、インテリジェント端末で異なるキーワードを設定することができる。好ましくは、該キーワードは洗濯機に関係する商品の名称であり、さらに好ましくは洗浄製品である。家庭用洗浄製品は通常、洗濯機付近に置かれるため、洗浄製品をもうすぐ使い終わることに気付いたとき、洗濯機の推薦装置により洗浄製品を迅速に購入することができる。
【００９１】
ユーザが自らキーワードを設定する工程について、図４に示すように、該設定方法は以下の工程を含む。
工程３０１：インテリジェント端末で洗濯機とバインディングする。
【００９２】
具体的に、洗濯機が始動した後、インテリジェント端末を起動して洗濯機を検索する機能に進み、該洗濯機が検出されると、自動的に接続して該洗濯機とバインディングすることができる。このうち、ＷＩＦＩ技術、ブルートゥース（登録商標）技術などにより、インテリジェント端末および洗濯機の接続を構築することができる。
【００９３】
インテリジェント端末および洗濯機を接続することができない場合、ユーザはインテリジェント端末のページで洗濯機の型番を自ら入力して洗濯機とバインディングすることもできる。
【００９４】
例えば、ＸＸブランドの型番Ａ−３０９Ｓの洗濯機について、ユーザがインテリジェント端末で洗濯機を検索する機能を起動すると、「ＸＸブランド、型番Ａ−３０９Ｓ」の洗濯機を検出したとき、ＷＩＦＩを介して自動的に接続し、該洗濯機とバインディングすることができる。
【００９５】
工程３０２：インテリジェント端末は識別情報およびトリガー信号の識別子を取得して、商品推薦コマンドに保存する。
【００９６】
このうち、該キーワードをユーザが自ら設定するとき、各ユーザが設定するキーワードは異なる。識別情報に基づいて、各洗濯機が送信した商品推薦コマンドを区分する必要があるため、キーワードを設定するとき、ユーザの識別情報も商品推薦コマンドに保存する必要がある。
【００９７】
このうち、トリガー信号の識別子の取得は、具体的に、洗濯機およびインテリジェント端末をバインディングすると、インテリジェント端末は該洗濯機の型番を取得し、さらに該型番の洗濯機に対応する全ての作動方式を端末の設定インタフェースに表示し、ユーザがある作動方式を選択したとき、インテリジェント端末は該作動方式に対応するトリガー信号の識別子を取得することを含む。
【００９８】
例えば、ＸＸブランドの型番Ａ−３０９Ｓの洗濯機について、その洗濯機に物理キーが設置され、対応する作動方式は、１度押す、２度続けて押す、および３度続けて押す、を含む。インテリジェント端末が型番Ａ−３０９Ｓの洗濯機とバインディングすると、インテリジェント端末は型番「Ａ−３０９Ｓ」を取得し、さらに作動方式の「１度押す、２度続けて押す、および３度続けて押す」を設定インタフェースに表示する。ユーザが設定インタフェースで「１度押す」を選択したとき、インテリジェント端末は「１度押す」に対応するトリガー信号の識別子を取得する。
【００９９】
このうち、識別情報は洗濯機番号でも、ユーザＩＤでもよい。出荷時、各洗濯機はいずれも異なる洗濯機を識別するための唯一の番号を１つ有する。ユーザＩＤは、ユーザがサーバにログインするアカウントでよく、該アカウントはサーバで唯一であり、異なるユーザを識別する。
【０１００】
ユーザＩＤの取得は、具体的に、インテリジェント端末でログインしたユーザＩＤを直接取得して、該ユーザＩＤを洗濯機の制御モジュールで同期することを含む。洗濯機がトリガー信号を受信したとき、該ユーザＩＤを取得して、洗濯機の商品推薦コマンドに記憶させ、サーバに送信するのに便利である。
例えば、インテリジェント端末でログインしたユーザＩＤがスマートフォン番号「１３６＊＊＊＊１２３４」であると、インテリジェント端末はユーザＩＤ「１３６＊＊＊＊１２３４」を直接取得して、該ユーザＩＤを洗濯機で同期する。
【０１０１】
洗濯機番号の取得は、具体的に、洗濯機から洗濯機番号を取得するか、またはユーザがインテリジェント端末で洗濯機番号を入力したことを検出したとき、該洗濯機番号を取得することを含む。
【０１０２】
例えば、該洗濯機の出荷番号が「２０１５０９１０＊＊＊＊１２３４」であると、インテリジェント端末は洗濯機から該番号「２０１５０９１０＊＊＊＊１２３４」を取得するか、またはユーザがインテリジェント端末の設定インタフェースで番号「２０１５０９１０＊＊＊＊１２３４」を直接入力する。
【０１０３】
具体的に、インテリジェント端末は識別情報およびトリガー信号の識別子を取得すると、それを商品推薦コマンドに保存する。このうち、インテリジェント端末が保存した商品推薦コマンドは洗濯機の商品推薦コマンドと同じであり、好ましくは、インテリジェント端末が保存した商品推薦コマンドを洗濯機で同期することもできる。
【０１０４】
識別情報およびトリガー信号の識別子を含む商品推薦コマンドについて、異なる洗濯機またはユーザＩＤが送信する商品推薦コマンドはいずれも異なり、異なる作動方式は異なるトリガー信号に対応する。同一の洗濯機またはユーザＩＤが送信する商品推薦コマンドも異なるため、各商品推薦コマンドはいずれも唯一である。
【０１０５】
工程３０３：インテリジェント端末は、商品推薦コマンドに対応するキーワードが設定されると、その対応関係をサーバに保存する。
【０１０６】
具体的に、インテリジェント端末が識別情報およびトリガー信号の識別子を商品推薦コマンドに保存した後、ユーザが設定インタフェースでキーワードを設定したことを検出したとき、インテリジェント端末はユーザが設定した情報を保存して、商品推薦コマンドおよびキーワードの対応関係を構築し、該対応関係をサーバに保存する。
【０１０７】
好ましくは、デフォルトの荷受人情報および支払方式を設定することもできる。ユーザが商品推薦ページで購入するとき、ワンクリック注文を行うのに便利であり、迅速に商品の注文書を発行することができる。
【０１０８】
このうち、荷受人情報は、荷受人の氏名、荷受人の電話番号、荷受住所を少なくとも含み、好ましくは荷受住所の郵便番号をさらに含む。支払方式はオンライン支払または代金引換を含むことができ、オンライン支払について、選択可能な支払システム（例えばクレジットカード支払、デビットカード支払、アリペイ支払またはウィーチャットペイ支払）を予め設定することもできる。支払システムの優先支払順序（例えばアリペイ支払を優先的に使用し、支払が成功しなかった場合、ウィーチャットペイ支払を使用する）も含み、支払制限（例えば一括支払は２００元以下で自動的に支払うことができる、１か月の支払は５００元を超えてはならないなど）を設定することも含む。
【０１０９】
本実施例において、アプリケーションをサポートするインテリジェントＩｏＴ洗濯機について、アプリケーションを洗濯機に直接インストールすることもできる。ユーザは洗濯機でアカウントを登録して、該洗濯機とバインディングすることができ、さらに洗濯機で商品推薦コマンドに対応するキーワードを設定して、その対応関係をサーバに保存する。
【０１１０】
設定の完了後、上記の設定内容を保存する。以降の使用において、ユーザが購入するたびに、すでに設定した作動方式に応じて洗濯機の推薦装置を作動させると、洗濯機は例えば実施例１、実施例２または実施例３の方法を実行してユーザに相応する商品を推薦する。ユーザは実際の需要に基づいて、リンクを直接クリックして購入するか、または直接注文する。このようにユーザの購入操作を簡略化し、ユーザの購入時間を節約し、ユーザ体験を高めた。
【０１１１】
実施例５
本実施例は洗濯機を提供し、図５に示すように、洗濯機はＩｏＴ洗濯機である。洗濯機はサーバと通信接続され、サーバはインテリジェント端末と通信接続される。
【０１１２】
このうち、該洗濯機に、洗濯機を作動させてサーバに商品推薦コマンドを送信する推薦装置が設けられる。サーバは商品推薦コマンドに基づいて、商品推薦コマンドに対応するキーワードを照会し、さらにビッグデータを利用してキーワードに関係する商品を自動的に推薦し、インテリジェント端末に送信してインテリジェント端末に表示する。ユーザは、リンクを直接クリックして商品を購入することができる。
【０１１３】
具体的に、洗濯機は通信モジュールおよび制御モジュールを含み、洗濯機は通信モジュールを介してサーバとデータ交換を行う。推薦装置が作動すると、洗濯機の制御モジュールに相応するトリガー信号が送信され、制御モジュールはトリガー信号を受信すると、通信モジュールを介してサーバに相応する商品推薦コマンドを送信し、このうち商品推薦コマンドは少なくともトリガー信号の識別子を含む。サーバは商品推薦コマンドを受信すると、商品推薦コマンドに対応するキーワードを検索する。サーバはビッグデータを利用してキーワードに関係する商品を自動的に推薦し、さらに推薦した商品を洗濯機とバインディングしたインテリジェント端末に送信して表示する。
【０１１４】
好ましくは、推薦装置は洗濯機に設置されたタッチパネルである。タッチパネルの作動方式は、所定の軌跡に応じて該タッチパネルに触れることを含む。
【０１１５】
所定の軌跡は任意の図案でよく、各図案の所定の軌跡は１つの作動方式である。異なる図案の所定の軌跡は異なる作動方式に対応し、各作動方式は１つのトリガー信号に対応する。好ましくは、該所定の軌跡は開発者が洗濯機にプリセットすることができる。例えば、洗濯機にプリセットされた軌跡がアルファベットのＣであると、作動方式は、アルファベットのＣに応じて該タッチパネルに触れることである。
【０１１６】
さらに好ましくは、推薦装置は洗濯機に設置された物理キーであり、そのキー方式は開発者が洗濯機にプリセットすることができる。各キー方式は１つの作動方式であり、各作動方式は１つのトリガー信号に対応する。好ましくは、該物理キーの作動方式は、１度押す、２度続けて押す、３度続けて押す、１度長押しする、１度短押ししてから１度長押しする、２度短押ししてから１度長押しする、のいずれか１つを少なくとも含む。
【０１１７】
好ましくは、該物理キーは、電源キー、スタート／一時停止キー、洗濯プログラムキーおよび洗濯パラメータキー以外の追加したキーである。このうち洗濯パラメータキーは、例えばすすぎ、脱水、水位、時間、温度、乾燥および回転速度などの洗濯プログラム中の各パラメータを制御する。
【０１１８】
例えば、図６に示すように、洗濯機に電源キー、スタート／一時停止キー、洗濯プログラムキー、すすぎキー、脱水キー、水位キーおよびワンクリック推薦キーが設けられる。該ワンクリック推薦キーは、洗濯機を作動させてサーバに商品推薦コマンドを送信する推薦装置であり、サーバは商品推薦コマンドに基づいて商品を選別し、さらに選別後の商品を洗濯機とバインディングしたインテリジェント端末に表示する。
【０１１９】
好ましくは、該物理キーは洗濯パラメータキーのいずれか１つである。洗濯プログラムを選択した後、該物理キーを作動させた場合、対応する洗濯パラメータの機能を実行する。洗濯プログラムを選択していないとき、該物理キーを作動させた場合、洗濯機を作動させてサーバに商品推薦コマンドを送信する機能を実行する。
【０１２０】
例えば、図７に示すように、洗濯機に電源キー、スタート／一時停止キー、洗濯プログラムキー、すすぎキー、脱水キーおよび水位キーが設けられ、このうち水位キーは、洗濯機を作動させてサーバに商品推薦コマンドを送信する推薦装置として用いることもできる。洗濯機が始動した後、洗濯プログラムを選択していないとき、該水位キーを押した場合、該水位キーは購入の機能を実行する。すなわち該水位キーに対応するトリガー信号が洗濯機に送信され、洗濯機を作動させてサーバに商品推薦コマンドを送信する。洗濯プログラムを選択した後、該水位キーを押した場合、該水位キーは洗濯機の水位を設定する機能を実行する。
【０１２１】
好ましくは、推薦装置は洗濯機における少なくとも２つの任意のキーからなる複合キーである。複合キーの作動方式は、複合キーを構成する全てのキーを同時に押すことを含む。
【０１２２】
例えば、図７に示すように、推薦装置はすすぎキー、脱水キーおよび水位キーからなる複合キーである。該複合キーの作動方式は、すすぎキー、脱水キーおよび水位キーを同時に押すことである。
【０１２３】
推薦装置が物理キー、タッチパネル、または複合キーであるかに関わらず、さらにどの作動方式であるかに関わらず、ユーザは該洗濯機を使用して、１つの工程で、サーバがビッグデータを利用して推薦した、ユーザに最も適した商品を得ることができる。この種の購入可能な洗濯機は、ユーザの購入習慣を改善しただけでなく、ユーザの購入時間を節約し、ユーザの購入効率を高め、購入におけるユーザ体験を大幅に高め、洗濯機の使用におけるユーザ体験も高めた。
【０１２４】
実施例６
本実施例は、洗濯機を使用した商品の高速推薦方法を提供する。図９に示すように、該方法は以下の工程を含む。
工程１０１：洗濯機の商品識別装置を使用して商品を識別し、さらに商品情報を取得する。
工程１０２：商品情報を含む商品推薦コマンドをサーバに送信する。
工程１０３：サーバは商品推薦コマンドを受信すると、ビッグデータを利用して商品情報に関係する商品を自動的に推薦し、さらに推薦した商品を洗濯機とバインディングしたインテリジェント端末に送信する。
工程１０４：インテリジェント端末は推薦された商品を表示インタフェースに表示し、表示する情報は、少なくとも商品の識別子と商品の識別子に対応するＵＲＬ（Ｕｎｉｆｏｒｍ  Ｒｅｓｏｕｒｃｅ  Ｌｏｃａｔｏｒ、統一資源位置指定子）アドレスとを含む。
【０１２５】
本実施例では、洗濯機の商品識別装置が商品を直接識別し、サーバがビッグデータを利用してユーザに適した商品を推薦し、さらに洗濯機とバインディングしたインテリジェント端末に表示する。ユーザは、スキャンするか、またはリーダで読み取るだけで、ユーザに最も適した推薦商品を得ることができる。このようにユーザのオンラインショッピングの時間を節約し、ユーザの購入効率を高め、ユーザの操作を簡略化する。
【０１２６】
実施例７
本実施例は、洗濯機を使用した商品の高速推薦方法を提供する。実施例２との違いは、以下の通りであり、図１０に示すように、該方法は以下の工程を含む。
工程２０１：洗濯機の商品識別装置を使用して商品を識別し、さらに商品情報を取得する。
【０１２７】
このうち、洗濯機に、商品を識別して商品情報を取得する商品識別装置が設けられる。好ましくは、該商品識別装置はＲＦＩＤリーダであり、商品にＲＦＩＤチップが設けられる。該チップに商品の名称、ブランド、生産メーカ、商品の形式／型番などを含む該商品の関連情報を予め保存することができる。
さらに好ましくは、該商品識別装置はスキャナであり、該商品の関連情報を含む商品の２次元コードまたはバーコードをスキャンすることができる。
このうち、バーコードは、幅が異なる複数の黒い棒および空白が一定の規則に応じて配列し、１組の情報を表す図形の識別子であり、アルファベットおよび数字を記憶させることができる。通常のバーコードは、反射率の差が大きい黒い棒（バーと略称する）および白い棒（スペースと略称する）が並んだ平行線の図案である。バーコードは物品の生産国、製造メーカ、商品の名称、生産日、図書分類番号、郵便物の発着地点、区分、日付などの多くの情報を表すことができるため、図書管理、郵便管理、銀行システム、特に商品の流通に幅広く応用される。したがって、商品のバーコードをスキャンすることにより、該商品の関連情報を取得することができる。
【０１２８】
例えば、商品バーコードが「６９２０１７４７００７８７」の商品をスキャンすると、バーコードデータベースを照会することにより、分類が洗浄製品、名称が衣料用液体洗剤、ブランドが立白、規格が５００ｇ、型番／形式が潔語薔薇であることを含む、該商品の関連情報を取得することができる。
【０１２９】
このうち、２次元コードは、ある特定の幾何図形が一定の法則で平面（２次元方向）に分布した白黒の図形を用いて、データシンボル情報を記録したものである。コード編集において、コンピュータ内部の論理的基礎を構成する「０」、「１」のビットストリームの概念を巧く利用し、２進法に対応するいくつかの幾何形状を使用して文字、数値情報を表す。画像入力装置または光電走査装置で自動的に読み取ることにより、情報の自動処理を実現する。２次元コードは、バーコード技術に対していくつかの共通性を有し、各種コード形式はその特定の文字セットを有し、各文字は一定の幅を占め、一定のチェック機能などを有する。さらに異業種の情報を自動的に識別する機能、および図形の回転変化点を処理する機能も有する。記憶させる情報はアルファベットおよび数字以外に、図、音声などの情報も記憶させることができ、商品に商品のブランド、産地、商品の形式、型番、さらには組成成分などを表すことができる。したがって、商品の２次元コードをスキャンすることにより、該商品の関連情報を取得することができる。
【０１３０】
ユーザが衣類を洗濯するとき、洗剤をすでに使い終えていることに気付き、洗剤を購入する必要があるとき、忘れるのを防止するため、すぐに洗剤の外装のバーコード／２次元コードを洗濯機のスキャナでスキャンすると、洗濯機は該洗剤の関連情報を取得することができる。
【０１３１】
工程２０２：商品情報を含む商品推薦コマンドをサーバに送信する。
【０１３２】
具体的に、洗濯機は通信モジュールを介して、商品情報を含む商品推薦コマンドをサーバに送信する。
【０１３３】
工程２０３：サーバは商品推薦コマンドを受信すると、商品情報に基づいて、少なくとも１つのオンラインモールにおける該商品情報に関係する全ての商品を検索する。
【０１３４】
具体的に、サーバは商品推薦コマンドを受信すると、商品情報における商品と関係する内容を分析し、このうち該商品情報は少なくとも商品の名称または商品の識別子を含む。サーバは商品情報の内容に基づいて、少なくとも１つのオンラインモールにおける全ての関連商品を検索する。
【０１３５】
このうち、オンラインモールは例えばハイアールオンラインストア、タオバオワン、Ｔｍａｌｌ、ＪＤドットコムなどである。検索する商品は、同じ商品情報を含む商品（例えば同じタイドのラベンダーの香りの衣料用液体洗剤）、商品情報に対応する商品と類似した商品（例えば立白のラベンダー衣料用液体洗剤）、商品情報に対応する商品とセットの商品（タイドのラベンダーの香りの柔軟剤）などを含む。ユーザがスキャンする商品が衣類であるとき、衣類の材質に基づいて、該材質を洗濯するのに適した洗剤、該衣類と組み合わせるアクセサリーなどを推薦することもできる。
【０１３６】
工程２０４：サーバが自発的に付加情報を取得する。
【０１３７】
工程２０５：サーバはビッグデータを利用して、検索した商品から付加情報に関係する商品を推薦し、推薦した商品を洗濯機とバインディングしたインテリジェント端末に送信する。
【０１３８】
工程２０６：インテリジェント端末の表示インタフェースに、推薦された商品を端末の表示インタフェースに表示するかどうかを提示する指示メッセージがポップアップされる。
【０１３９】
工程２０７：インテリジェント端末は推薦された商品を表示インタフェースに表示し、表示する情報は、少なくとも商品の識別子と商品の識別子に対応するＵＲＬアドレスとを含む。
【０１４０】
上記工程２０４から工程２０７に記載の技術案は、実施例２と同じである。
【０１４１】
本実施例では、洗濯機の商品識別装置が商品を直接識別し、サーバがビッグデータを利用してユーザに適した商品を推薦し、さらに洗濯機とバインディングしたインテリジェント端末に表示する。ユーザは、スキャンするか、またはリーダで読み取るだけで、ユーザに最も適した推薦商品を得ることができる。このようにユーザのオンラインショッピングの時間を節約し、ユーザの購入効率を高め、ユーザの操作を簡略化する。
【０１４２】
実施例８
本実施例は実施例７を基にし、端末の表示インタフェースに表示された商品について、ユーザは通常の購入方式に応じて商品を購入することも、商品をワンクリック注文することもできる。
【０１４３】
実施例３との違いは以下の通りである。本実施例では、洗濯機の商品識別装置が商品を直接識別し、サーバがビッグデータを利用してユーザに適した商品を推薦し、さらに洗濯機とバインディングしたインテリジェント端末に表示する。ユーザはインテリジェント端末で、ある商品をワンクリック注文することも、大量の商品を迅速に注文することもできる。ユーザは、洗濯機でスキャンするか、または読み取ると、ユーザに最も適した推薦商品を得ることができ、その後、推薦された商品からワンクリック注文し、商品の迅速な購入を実現する。このようにユーザのオンラインショッピングの時間を節約し、ユーザの購入効率を高め、ユーザの操作を簡略化する。
【０１４４】
実施例９
本実施例は洗濯機を提供し、実施例５との違いは以下の通りである。図１２に示すように、洗濯機はサーバと通信接続され、サーバはインテリジェント端末と通信接続される。洗濯機に、
商品を識別して商品情報を取得し、制御モジュールに送信する商品識別装置であって、好ましくは、該商品識別装置はＲＦＩＤリーダであり、商品にＲＦＩＤチップが設けられ、該チップに、商品の名称、ブランド、生産メーカ、商品の形式／型番などを含む、該商品の関連情報を予め保存することができ；さらに好ましくは、該商品識別装置はスキャナであり、該商品の関連情報を含む商品の２次元コード／バーコードをスキャンすることができる商品識別装置と；
商品情報を受信して商品推薦コマンドに記憶させ、通信モジュールを介して商品推薦コマンドをサーバに送信する制御モジュールであって、サーバはビッグデータを利用して商品情報に関係する商品を自動的に推薦し、さらに推薦した商品を洗濯機とバインディングしたインテリジェント端末に送信して、端末の表示インタフェースに表示する制御モジュールと；
制御モジュールおよびサーバを接続し、データ交換を実現する通信モジュールと、が設置される。
【０１４５】
本実施例では、洗濯機に商品識別装置が設置され、ユーザは商品識別装置を使用して商品のバーコードまたは２次元コードを直接識別することができ、これにより商品の関連情報を取得する。サーバはビッグデータを利用して、ユーザに最も適した商品を洗濯機とバインディングしたインテリジェント端末に推薦し、これによりユーザは端末で迅速に購入することができる。
【０１４６】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、均等変化した等価実施例に変更または修正することができるが、いずれも本発明の技術案の内容を逸脱しない。本発明の技術的本質に基づいて、以上の実施例に対して行う簡単な修正、均等変化および修飾は、いずれも本発明案の範囲内に属する。
【図１】
2019504425.tif 000003
【図２】
2019504425.tif 000004
【図３】
2019504425.tif 000005
【図４】
2019504425.tif 000006
【図５】
2019504425.tif 000007
【図６】
2019504425.tif 000008
【図７】
2019504425.tif 000009
【図８】
2019504425.tif 000010
【図９】
2019504425.tif 000011
【図１０】
2019504425.tif 000012
【図１１】
2019504425.tif 000013
【図１２】
2019504425.tif 000014
【国際調査報告】
2019504425.tif 000015
2019504425.tif 000016
2019504425.tif 000017
2019504425.tif 000018